(57)【特許請求の範囲】
【請求項１】
機体吸込口と機体吹出口を対向して設けた箱状の機体と、
前記箱状の機体の内部に、渦巻状のスクロールケーシングを有した２個の遠心送風機を備えたダクトファンにおいて、
前記機体吸込口と前記機体吹出口を有する面以外の前記機体の一面にメンテナンス用開口部を設け、
前記機体内に前記機体吸込口側と前記機体吹出口側とを区画する仕切り板を設け、
前記２個の遠心送風機は、前記メンテナンス用開口部に向かって前後になるように配置すると共に、前記仕切り板に開口部を設けて前記遠心送風機の吐出口を接続し、
前記遠心送風機のモーターを前記メンテナンス用開口部に対向して配置し、
前記メンテナンス用開口部から遠い側の前記遠心送風機は、前記メンテナンス用開口部からその羽根車が覗けるように、前記メンテナンス用開口部から近い側の前記遠心送風機よりも前記機体吸込口側に配置したダクトファン。
【請求項２】
前記遠心送風機の駆動軸を前記メンテナンス用開口部に向けた構成とした請求項１記載のダクトファン。
【請求項３】
少なくとも前記メンテナンス用開口部から遠い側の前記遠心送風機の吐出口の面を前記機体吹出口の面に対し傾けて配置した請求項１または２に記載のダクトファン。
【請求項４】
前記遠心送風機は、両吸込型羽根車を備えた両吸込型遠心送風機とし、
反モーター側ケーシング吸込口を機体吸込口側に傾けて配置した請求項３記載のダクトファン。
【発明の詳細な説明】
【技術分野】
【０００１】
本発明は、建物の天井裏等の空間に設置され、遠心送風機を複数個内蔵して配置し、ダクトを介し室内の空気を換気するダクトファンの構造に関する。
【０００２】
また、遠心送風機の風路の圧力損失を抑え入力を低減したダクトファンの構造に関する。
【背景技術】
【０００３】
従来、この種のダクトファンとしては、遠心送風機を位置規制部材により保持し並列に配置したものが知られている（例えば、特許文献１参照）。
【０００４】
以下、そのダクトファンについて、図７を参照しながら説明する。
【０００５】
図７に示すように、機体１０１は互いに相対する二対の側面板１０２および上面板と下面板で構成し、側面板１０２の一方には吸込側ダクト１０３を連結する機体吸込口１０４を設け、他方には吹出側ダクト１０５を連結する機体吹出口１０６を備えている。そして、機体１０１の機体吸込口１０４側の側面板１０２と機体吹出口１０６側の側面板１０２との間を開口部１０７を有する仕切り板１０８で区画し、仕切り板１０８と、この仕切り板１０８の機体吸込口１０４側の側面板１０２の側に設けた位置規制部材１０９との間に、仕切り板１０８の開口部１０７にその吐出口１１０を合わせて位置を定めた２個の遠心送風機１１１を挟持して並列に固定している。この遠心送風機１１１は、機体１０１の一方の側面板１０２側に設けたメンテナンス用開口部１１２を介し、位置規制部材１０９を取り外すことにより、手前から順次遠心送風機１１１を取り外すことができる。
【先行技術文献】
【特許文献】
【０００６】
【特許文献１】実開昭６１−１２７３３５号公報
【発明の概要】
【発明が解決しようとする課題】
【０００７】
このような従来のダクトファンでは、遠心送風機１１１は、機体１０１の一方の側面板１０２側に設けたメンテナンス用開口部１１２を介し、位置規制部材１０９を取り外すことにより、手前から順次遠心送風機１１１を取り外すことができるが、仕切り板１０８と位置規制部材１０９との間に２個の遠心送風機１１１を並列に配置した構造になっているため、メンテナンス用開口部１１２から遠い２個目の遠心送風機１１１だけの部品点検を行う必要が生じた場合においても、手前から順次遠心送風機１１１全体を取り外す必要があり、遠心送風機１１１を２個とも取り外さなければならず、作業工数および手間がかかるという課題がある。
【０００８】
また、機体１０１は、奥の遠心送風機１１１を取り出す際のメンテナンス作業が困難なためコンパクト化が要望され、かつ風路の圧力損失を抑え入力を低減することが要望されている。また、室内の騒音を下げるため、騒音を低減することが要望されている。
【０００９】
本発明は、このような従来の課題を解決するものであり、メンテナンス用開口部から複数の送風機を簡単に個別にメンテナンスでき、メンテナンス性を良くでき、コンパクトにでき、入力を低減できるダクトファンを提供することを目的とする。
【課題を解決するための手段】
【００１０】
本発明のダクトファンは、上記目的を達成するために、機体吸込口と機体吹出口を対向して設けた箱状の機体と、前記箱状の機体の内部に、渦巻状のスクロールケーシングを有した２個の遠心送風機を備えたダクトファンにおいて、前記機体吸込口と前記機体吹出口を有する面以外の前記機体の一面にメンテナンス用開口部を設け、前記機体内に前記機体吸込口側と前記機体吹出口側とを区画する仕切り板を設け、前記２個の遠心送風機は、前記メンテナンス用開口部に向かって前後になるように配置すると共に、前記仕切り板に開口部を設けて前記遠心送風機の吐出口を接続し、前記遠心送風機のモーターを前記メンテナンス用開口部に対向して配置し、前記メンテナンス用開口部から遠い側の前記遠心送風機は、前記メンテナンス用開口部からその羽根車が覗けるように、前記メンテナンス用開口部から近い側の前記遠心送風機よりも前記機体吸込口側に配置したものである。
【００１１】
また、他の手段は、遠心送風機の駆動軸をメンテナンス用開口部に向けた構成としたものである。
【００１２】
また、他の手段は、前記遠心送風機のモーターを前記メンテナンス用開口部に対向して配置し、少なくとも前記メンテナンス用開口部から遠い側の前記遠心送風機の吐出口の面を前記機体吹出口の面に対し傾けて配置した構成としたものである。
【００１３】
また、他の手段は、前記遠心送風機は、両吸込型羽根車を備えた両吸込型遠心送風機とし、反モーター側ケーシング吸込口を機体吸込口側に傾けて配置した構成としたものである。
【発明の効果】
【００１４】
本発明によれば、機体吸込口と機体吹出口を対向して設けた箱状の機体と、前記箱状の機体の内部に、渦巻状のスクロールケーシングを有した２個の遠心送風機を備えたダクトファンにおいて、前記機体吸込口と前記機体吹出口を有する面以外の前記機体の一面にメンテナンス用開口部を設け、前記機体内に前記機体吸込口側と前記機体吹出口側とを区画する仕切り板を設け、前記２個の遠心送風機は、前記メンテナンス用開口部に向かって前後になるように配置すると共に、前記仕切り板に開口部を設けて前記遠心送風機の吐出口を接続し、前記遠心送風機のモーターを前記メンテナンス用開口部に対向して配置し、前記メンテナンス用開口部から遠い側の前記遠心送風機は、前記メンテナンス用開口部からその羽根車が覗けるように、前記メンテナンス用開口部から近い側の前記遠心送風機よりも前記機体吸込口側に配置したことにより、メンテナンス用開口部から２個の遠心送風機を簡単に個別にメンテナンスでき、メンテナンス性を良くできながら、薄型コンパクトにできるという効果のあるダクトファンを提供することができる。
【００１５】
また、遠心送風機の駆動軸をメンテナンス用開口部に向けた構成としたものであり、メンテナンス性を良くできるという効果のあるダクトファンを提供することができる。
【００１６】
また、前記遠心送風機のモーターを前記メンテナンス用開口部に対向して配置し、少なくとも前記メンテナンス用開口部から遠い側の前記遠心送風機の吐出口の面を前記機体吹出口の面に対し傾けて配置したことにより、モーターのメンテナンス性が良く、機体を機体気流方向に短くコンパクトにでき、入力を低減できるという効果のあるダクトファンを提供することができる。
【００１７】
また、前記遠心送風機は、両吸込型羽根車を備えた両吸込型遠心送風機とし、反モーター側ケーシング吸込口を機体吸込口側に傾けて配置したことにより、モーターのメンテナンス性が良く、機体を機体気流方向に短くコンパクトにでき、入力を低減できるという効果のあるダクトファンを提供することができる。
【図面の簡単な説明】
【００１８】
【図１】本発明の実施の形態１のダクトファンの平面構成図
【図２】同ダクトファンの設置状態を示す側面構成図
【図３】本発明の実施の形態２のダクトファンの平面構成図
【図４】本発明の実施の形態３のダクトファンの平面構成図
【図５】本発明の実施の形態４のダクトファンの平面構成図
【図６】本発明の実施の形態５のダクトファンの平面構成図
【図７】従来のダクトファンの平面構成図
【発明を実施するための形態】
【００１９】
本発明の請求項１記載のダクトファンは、機体吸込口と機体吹出口を対向して設けた箱状の機体と、前記箱状の機体の内部に、渦巻状のスクロールケーシングを有した２個の遠心送風機を備えたダクトファンにおいて、前記機体吸込口と前記機体吹出口を有する面以外の前記機体の一面にメンテナンス用開口部を設け、前記機体内に前記機体吸込口側と前記機体吹出口側とを区画する仕切り板を設け、前記２個の遠心送風機は、前記メンテナンス用開口部に向かって前後になるように配置すると共に、前記仕切り板に開口部を設けて前記遠心送風機の吐出口を接続し、前記遠心送風機のモーターを前記メンテナンス用開口部に対向して配置し、前記メンテナンス用開口部から遠い側の前記遠心送風機は、前記メンテナンス用開口部からその羽根車が覗けるように、前記メンテナンス用開口部から近い側の前記遠心送風機よりも前記機体吸込口側に配置したものであり、メンテナンス用開口部から遠い側の遠心送風機の羽根車とメンテナンス用開口部から近い側の遠心送風機の羽根車の両方をメンテナンス用開口部から同時に臨むことができる。また、複数の遠心送風機を機体に収めることで、遠心送風機１個に対し遠心送風機の個数分の風量を合計として発生することができ、遠心送風機自体を大きくする必要がなく、機体の高さは遠心送風機の１個分に近似した薄型コンパクトな高さにできるという作用を有する。
【００２０】
また、遠心送風機の駆動軸をメンテナンス用開口部に向けた構成としたものであり、メンテナンス用開口部から複数の遠心送風機を目視できるという作用を有する。
【００２１】
また、前記遠心送風機のモーターを前記メンテナンス用開口部に対向して配置し、少なくとも前記メンテナンス用開口部から遠い側の前記遠心送風機の吐出口の面を前記機体吹出口の面に対し傾けて配置したものであり、メンテナンス用開口部からモーターを臨むことができ、遠心送風機を傾けて配置した分、遠心送風機を機体気流方向に短く配置することができ、機体吸込口からの機体気流は遠心送風機のスクロールケーシングの角部にてスムーズに分流し、気流衝突での圧力損失を抑えることができるという作用を有する。
【００２２】
また、前記遠心送風機は、両吸込型羽根車を備えた両吸込型遠心送風機とし、反モーター側ケーシング吸込口を機体吸込口側に傾けて配置したものであり、モーター側ケーシング吸込口より通過風量の多い反モーター側ケーシング吸込口の吸込口側風路の圧力損失を抑えることができるという作用を有する。
【００２３】
以下、本発明の実施の形態について、図面を参照しながら説明する。
【００２４】
（実施の形態１）
図１に示すように、機体吸込口１と機体吹出口２を箱状の機体３の対向する側面に設け、機体３には、機体吸込口１に吸込側ダクト４を接続する吸込アダプター５、および機体吹出口２には、吹出側ダクト６を接続する吹出アダプター７を配している。機体３の内部には、機体吸込口１から機体吹出口２に至る機体気流８が流れる風路９を有し、風路９に遠心送風機１０を２個を配している。遠心送風機１０には、モーター１１に駆動軸１２を介して固定した羽根車１３と、機体吹出口２に対向する吐出口１４と、渦巻状のスクロー
ルケーシング１５とを有している。スクロールケーシング１５の側面には、モーター側ケーシング吸込口１６を開口したモーター側オリフィス１７を配している。
【００２５】
機体吸込口１と機体吹出口２を有する面以外の機体３の一面には、メンテナンス用開口部１８を設け、機体３内に機体吸込口１側と機体吹出口２側とを区画する仕切り板１９を設け、２個の遠心送風機１０はメンテナンス用開口部１８に向かって前後になるように配置すると共に、仕切り板１９に開口部２０を設けて遠心送風機１０の吐出口１４を接続する。この２個の遠心送風機１０の駆動軸１２は、メンテナンス用開口部１８に向かうよう配置し、メンテナンス用開口部１８には着脱自在のメンテナンスパネル２１を固定している。
【００２６】
メンテナンス用開口部１８から遠い側の遠心送風機１０の吐出口１４から機体吹出口２に向かう吐出空間距離２２は、メンテナンス用開口部１８から近い側の遠心送風機１０の吐出口１４から機体吹出口２に向かう吐出空間距離２３に対し、羽根車１３の外径寸法以上長くして、遠心送風機１０を２個配置する。さらに、メンテナンス用開口部１８から遠い側の遠心送風機１０の機体吹出口２側のスクロールケーシング吐出端部２４を、メンテナンス用開口部１８から近い側の遠心送風機１０の機体吸込口１側のスクロールケーシング吸込端部２５に対し、機体気流８方向に重ねて遠心送風機１０は２個配置した構成とする。
【００２７】
また、図２に示すように、実使用状態では、天井裏２６において機体吸込口１に吸込側ダクト４、機体吹出口２に吹出側ダクト６を接続して機体３は施工され、遠心送風機１０を運転すると、室内２７の空気が吸込側ダクト４、遠心送風機１０を介して吹出側ダクト６を通過し、室外２８に排気して使用する。天井裏２６と室内２７は天井材２９で仕切られ、天井材２９の機体３の下部に天井点検口３０を備えている。
【００２８】
上記構成により、メンテナンスの際は、機体３のメンテナンスパネル２１を取り外し、メンテナンス用開口部１８から遠い側の遠心送風機１０の羽根車１３とメンテナンス用開口部１８から近い側の遠心送風機１０の羽根車１３の両方をメンテナンス用開口部１８から同時に臨むことができ、羽根車１３の汚れや動作状態などを２個の遠心送風機１０それぞれに目視できる。２つの遠心送風機１０の吐出空間距離２２と吐出空間距離２３との差が羽根車１３の外径寸法以上とすることによって、２つの遠心送風機１０両方の全面が臨めることになり、遠心送風機１０の交換などのメンテナンス作業がしやすくなる。
【００２９】
また、メンテナンス用開口部１８から遠い側の遠心送風機１０のスクロールケーシング吐出端部２４を、メンテナンス用開口部１８から近い側の遠心送風機１０のスクロールケーシング吸込端部２５に対し、機体気流８方向に重ねた分、メンテナンス用開口部１８から遠い側の遠心送風機１０の吐出空間距離２２を小さくすることができる。
【００３０】
また、複数の遠心送風機１０を機体３に収めることで、遠心送風機１個に対し遠心送風機１０の個数分の風量を合計として発生することができ、遠心送風機１０自体を大きくする必要がなく、機体３の高さは遠心送風機１０の１個分に近似した高さとなる。
【００３１】
なお近年、室内２７の居住空間を広くするために天井裏２６を狭くする傾向があり、狭いためメンテナンス作業が行いづらい天井裏２６では、より簡単にメンテナンスできるダクトファンが求められている。
【００３２】
このように本発明の実施の形態１のダクトファンによれば、メンテナンス用開口部から２個の遠心送風機を簡単に個別にメンテナンスでき、メンテナンス性を良くできながら、薄型コンパクトにでき、また機体を機体気流方向に短くコンパクトにできることとなる。
【００３３】
なお、メンテナンス用開口部１８から遠い側の遠心送風機１０の吐出空間距離２２と、近い側の遠心送風機１０の吐出空間距離２３については、メンテナンス用開口部１８から２つの遠心送風機１０両方の略全面が臨める距離関係であればよく、吐出空間距離２２と吐出空間距離２３との差が羽根車１３の外径寸法以上でなくてもよい。
【００３４】
（実施の形態２）
図３に示すように、遠心送風機１０のモーター１１をメンテナンス用開口部１８に対向して配置し、２個または１個の遠心送風機１０の吐出口１４の面を機体吹出口２の面に対し傾けて遠心送風機１０を配置する。すなわち、遠心送風機１０の駆動軸が機体吐出口２を有する面に対して所定の角度を有するように傾ける。さらに、遠心送風機１０を両吸込型羽根車３１を備えた両吸込型遠心送風機とした場合には、反モーター側ケーシング吸込口３２を機体吸込口１側に傾けて遠心送風機１０を配置した構成とする。
【００３５】
上記構成により、メンテナンス用開口部１８からモーター１１を臨むことができ、遠心送風機１０を傾けて配置した分、遠心送風機１０を機体気流８方向に短く配置することができることで機体３を短くでき、機体吸込口１からの機体気流８は遠心送風機１０のスクロールケーシング１５の角部が機体吸込口１に向かった凸状となることからスムーズに分流し、気流衝突での圧力損失を抑えることができる。
【００３６】
また、反モーター側ケーシング吸込口３２が機体吸込口１側に傾いているので、モーター１１への気流衝突による吸込抵抗の影響があるモーター側ケーシング吸込口１６より、モーター１１が無く通過風量の多い反モーター側ケーシング吸込口３２への吸込口側風路の圧力損失を抑えることができる。
【００３７】
なお、２個の遠心送風機１０のうち１個だけを傾けて配置した場合であっても同様の作用を得られることは言うまでもない。
【００３８】
このように本発明の実施の形態２のダクトファンによれば、モーター１１のメンテナンス性が良く、機体３を機体気流８方向に短くコンパクトにでき、入力を低減できることとなる。
【００３９】
（実施の形態３）
図４に示すように、両吸込型羽根車３１を備えた遠心送風機１０の機体吸込口１に対向した側面に、吸音材３３を固定した吸音材固定プレート３４を着脱自在に設けた構成とする。
【００４０】
上記構成により、吸込口側風路の気流騒音を吸音でき、メンテナンス時にはメンテナンス用開口部１８に近い側の遠心送風機１０の吸音材固定プレート３４を取り外して吸音材３３を取り外すことで、メンテナンス用開口部１８から機体３内部を仰いだ際、メンテナンス用開口部１８に近い側の遠心送風機１０は言うまでもなく、メンテナンス用開口部１８から遠い側の遠心送風機１０をも臨みやすくでき、かつ吸音材３３を取り外した空間の分、メンテナンス作業スペースを拡大できる。
【００４１】
このように本発明の実施の形態３のダクトファンによれば、機体吸込口側の騒音を低減でき、メンテナンス性を良くできることとなる。
【００４２】
（実施の形態４）
図５に示すように、吸音材固定プレート３４に固定した吸音材３３を略三角形状とする構成とする。
【００４３】
上記構成により、機体気流８は吸音材３３の三角状凸部にて分流され、吸音材３３への機体気流８の衝突による乱流が少なく、吸込口側風路の圧力損失を抑えることができる。
【００４４】
このように本発明の実施の形態４のダクトファンによれば、機体吸込口側の騒音を低減でき、入力を低減できることとなる。
【００４５】
（実施の形態５）
図６に示すように、機体吸込口１と機体吹出口２を有する面以外の機体３の一面にメンテナンス用開口部１８を設け、機体３内に機体吸込口１側と機体吹出口２側とを区画する仕切り板１９を設け、３個の遠心送風機１０はメンテナンス用開口部１８に向かって前後になるように配置すると共に、仕切り板１９に開口部２０を設けて遠心送風機１０の吐出口１４を接続し、メンテナンス用開口部１８には着脱自在のメンテナンスパネル２１を固定している。
【００４６】
メンテナンス用開口部１８から２番目に遠い側の遠心送風機１０の吐出口１４から機体吹出口２に向かう吐出空間距離２２は、メンテナンス用開口部１８から最も近い側の遠心送風機１０の吐出口１４から機体吹出口２に向かう吐出空間距離２３に対し、羽根車１３の外径寸法以上長くし、メンテナンス用開口部１８から最も遠い側の遠心送風機１０の吐出口１４から機体吹出口２に向かう吐出空間距離３５は、メンテナンス用開口部１８から２番目に遠い側の遠心送風機１０の吐出口１４から機体吹出口２に向かう吐出空間距離２２に対し、羽根車１３の外径寸法以上長くし、遠心送風機１０を３個配置する。
【００４７】
また、遠心送風機１０のモーター１１をメンテナンス用開口部１８に対向して配置し、遠心送風機１０の吐出口１４の面を機体吹出口２の面に対し傾けて遠心送風機１０を配置し、遠心送風機１０を両吸込型羽根車３１を備えた両吸込型遠心送風機とし、反モーター側ケーシング吸込口３２を機体吸込口１側に傾けて遠心送風機１０を３個配置した構成とする。
【００４８】
上記構成により、メンテナンスの際は、機体３のメンテナンスパネル２１を取り外し、メンテナンス用開口部１８からすべての遠心送風機１０の羽根車１３をメンテナンス用開口部１８から同時に臨むことができ、羽根車１３の汚れや動作状態などを３個の遠心送風機１０をそれぞれに目視できる。
【００４９】
また、メンテナンス用開口部１８からモーター１１を臨むことができ、遠心送風機１０を傾けて配置した分、遠心送風機１０を機体気流８方向に短く配置することができることで機体３を短くでき、機体吸込口１からの機体気流８は遠心送風機１０のスクロールケーシング１５の角部が機体吸込口１に向かった凸状となることからスムーズに分流し、気流衝突での圧力損失を抑えることができる。
【００５０】
また、反モーター側ケーシング吸込口３２が機体吸込口１側に傾いているので、モーター１１への気流衝突による吸込抵抗の影響があるモーター側ケーシング吸込口１６より、モーター１１が無く通過風量の多い反モーター側ケーシング吸込口３２への吸込口側風路の圧力損失を抑えることができる。
【００５１】
また、複数の遠心送風機１０を機体３に収めることで、遠心送風機１個に対し遠心送風機１０の個数分の風量を合計として発生することができ、遠心送風機１０自体を大きくする必要がなく、機体３の高さは遠心送風機１０の１個分に近似した高さとなる。
【００５２】
なお、３個以上の遠心送風機を配置した場合であっても同様の作用を得られ、また複数
の遠心送風機１０のうち全数を傾けて配置しない場合であっても同様の作用を得られることは言うまでもない。
【００５３】
このように本発明の実施の形態５のダクトファンによれば、メンテナンス用開口部１８から複数の遠心送風機１０を簡単に個別にメンテナンスでき、メンテナンス性を良くできながら薄型コンパクトにでき、また機体３を機体気流８方向に短くコンパクトにできることとなる。
【産業上の利用可能性】
【００５４】
換気送風機器、空気調和機、除湿機、加湿器、空気清浄機などの空気搬送目的以外に、機体吹出口からの送風を用いて設備機器の冷却ができ、圧力損失を少なくし風量を確保することで冷却効果が高く、コンパクトに設置できる設備機器の送風の用途にも適用できる。
【符号の説明】
【００５５】
１  ・・機体吸込口
２  ・・機体吹出口
３  ・・機体
８  ・・機体気流
１０・・遠心送風機
１１・・モーター
１３・・羽根車
１４・・吐出口
１５・・スクロールケーシング
１８・・メンテナンス用開口部
１９・・仕切り板
２０・・開口部
２２・・吐出空間距離
２３・・吐出空間距離
２４・・スクロールケーシング吐出端部
２５・・スクロールケーシング吸込端部
３２・・反モーター側ケーシング吸込口
３３・・吸音材
３４・・吸音材固定プレート
【図１】
0005516648.tif 000002
【図２】
0005516648.tif 000003
【図３】
0005516648.tif 000004
【図４】
0005516648.tif 000005
【図５】
0005516648.tif 000006
【図６】
0005516648.tif 000007
【図７】
0005516648.tif 000008